【事件の表示】
　特願２００２−　１５５４９「カメラのストロボ装置」拒絶査定不服審判事件〔平成１５年　７月３０日出願公開、特開２００３−２１５６７４〕について、次のとおり審決する。
【結　論】
　本件審判の請求は、成り立たない。
【理　由】
Ｉ．手続の経緯
　本願は、平成１４年１月２４日に出願された特願２００２−１５５４９号であって、平成１９年６月８日付けで拒絶査定がなされ、この査定を不服として、同年７月１３日に拒絶査定不服審判の請求がされるとともに、同日付けで手続補正がなされた。
　その後、当審において平成２０年９月１日付けで拒絶理由が通知され、これに対して同年１０月３１日付けで意見書が提出された。
　
II．本願発明について
１．本願発明
　本願に係る発明は、平成１９年７月１３日付け手続補正書によって補正された、特許請求の範囲の請求項１、２に記載された事項により特定されるとおりのものと認められるところ、その請求項１に係る発明（以下、「本願発明」という。）は以下のとおりである。
「ストロボ光源として使用されるＲ、Ｇ、Ｂの３色の発光素子であって、各色ごとに複数個設けられ、かつ各発光素子単位で点灯及び消灯が可能な発光素子と、
　ストロボ光の色温度をマニュアルで設定し、又は被写界の色温度を自動的に測定する手段と、
　ストロボ光が前記マニュアルで設定した色温度、又は自動的に測定した被写界の色温度になるようにＲ、Ｇ、Ｂの３色の各発光素子の発光量の比に対応させて３色の各発光素子の点灯する個数の数量比を制御する手段であって、各発光素子単位で点灯及び消灯を制御することにより、Ｒ、Ｇ、Ｂの各色ごとに点灯する発光素子の個数を制御する手段と、
　を備えたことを特徴とするカメラのストロボ装置。」
　
２．刊行物の記載事項
　当審において平成２０年９月１日付けで通知した拒絶理由で提示した、本願出願前に頒布された刊行物である引用文献１ないし４には、それぞれ以下の事項が記載されている。
（２−１）引用文献１（特開昭５８−１４９０３３号公報）
　引用文献１には、図面とともに以下の事項が記載されている。
（２−１−ａ）第１頁左下欄第５〜１４行（特許請求の範囲の欄）
「（１）　色温度のデータを出力する色温度データ出力装置と、
分光特性の異なる光を射出する少なくとも２つの閃光発光部と、
 上記色温度データ出力装置からのデータに基づいて上記各閃光発光部が射出すべき光量の比を算出する演算回路と、
 この演算回路からの出力に基づいて上記各閃光発光部が射出する光量の比を制御する制御回路とを備えたことを特徴とする閃光発光装置。」
（２−１−ｂ）第２頁右下欄第１〜１２行
「
発明の要旨
　この発明は、上記目的を達成するために発光光の分光特性が互いに異なる複数の発光源を設ける一方、被写体又はフイルムの色温度データに応じて、各発光源から発光すべき射出光量の比を演算回路で演算して、その演算結果に対応した光量となるように各発光源の発光量を制御することによって、補助光源として用いた場合には主光源の分光特性と適合した色で発光をさせることができ、主光源として用いた場合にはフイルムの分光特性に適合した発光を行なうことができるように構成されている。」
（２−１−ｃ）第３頁左上欄第３行〜同左下欄第１２行
「　本発明の第１の実施例は、第１図に示すように、閃光発光装置（２０）は、外光の色温度測光用の受光窓部（２１）と、内部からの閃光を放射するフレネルレンズ部（２２）とを有する。…… 
また、フレネルレンズ部（２２）の内側では、第２図に示すように、３個のキセノン管（ＸＢ），（ＸＧ），（ＸＲ）及びその各々の前面に青色フイルタ（ＦＢ２），緑色フイルタ（ＦＧ２）及び赤色フイルタ（ＦＲ２）が各々設けられる。…… 
　また、第１図の（２６）は測光ボタンであり、閃光発光装置（２０）を被写体位置に位置させて、光源の方向に受光窓部（２１）を向けてこの測光ボタン（２６）を押すと、そのときの被写体の色温度情報がこの閃光発光装置（２０）の内部に設けられた後述の記憶部に記憶され、再度この測光ボタン（２６）を押すと記憶した色温度情報は解消される。（２４）はフイルムの色温度感度に対応して閃光発光を調節するための設定部材であり、この設定部材（２４）を“Ｂ”の位置に設定すると、タングステンタイプでＢタイプのフイルムに対応した発光が行なわれ、設定部材（２４）を“Ａ”の位置に設定すると、タングステンタイプでＡタイプのフイルムに対応した発光が行なわれ、設定部材（２４）を“Ｄ”の位置に設定すると、デイライトタイプのフイルムに対応した発光が行なわれる。（２５）はオートモードとマニユアルモードの切換を行なう切換部材であり、この切換部材（２５）を“ＡＵＴＯ”の位置に設定すると、被写体位置で測光した色温度に対応した色温度の閃光発光が行なわれ、切換部材（２５）を“ＭＡＮ”の位置に設定すると上述の設定部材（２４）の設定位置に対応した閃光発光が行なわれる。」 （２−１−ｄ）第７頁左下欄第１０行〜第８頁左上欄第１５行 
 「　上述のように、切換部材（２５）（第１図）が“ＡＵＴＯ”に設定されると、キセノン管（ＸＧ）の発光量は演算回路（１２）から出力される適正露光となる発光量ＱＧになるように制御され、キセノン管（ＸＢ）の発光量は上記緑の発光量ＱＧに対して青領域の外光を受光する受光素子（ＰＢ１）の出力電流ＩＢと緑領域の外光を受光する受光素子（ＰＧ１）の出力電流ＩＧとの比で定まる発光量ＱＢになるように制御され、キセノン管（ＸＲ）の発光量は上記緑の発光量ＱＧに対して赤領域の外光を受光する受光素子（ＰＲ１）の出力電流ＩＲと緑領域の外光を受光する受光素子（ＰＧ１）の出力電流ＩＧとの比で定まる発光量ＱＲになるように制御される。すなわち、キセノン管（ＸＢ），（ＸＧ），（ＸＲ）の夫々の発光量ＱＢ，ＱＧ，ＱＲの比は、
ＱＢ：ＱＧ：ＱＲ＝ＩＢ：ＩＧ：ＩＲ　
すなわち、外光の青，緑，赤の各分光領域の受光量の比となり、キセノン管（ＸＢ），（ＸＧ），（ＸＲ）は外光の色温度と等しくなるように制御される。
　一方切換部材（２５）（第１図）が“ＭＡＮ”に設定されると、……
減算回路（１６）と加算回路（１７）には定電流源（ＣＩ１），（ＣＩ２）と可変抵抗（ＶＲ１），（ＶＲ２）によってきまる情報が夫々入力される。この情報は、第１図の設定部材（２４）の設定位置に応じて、可変抵抗（ＶＲ１），（ＶＲ２）の摺動子の位置が変化することで定まる。……
　この場合、キセノン管（ＸＧ）は演算回路（１２）から出力される発光量ＱＧになるように制御され、キセノン管（ＸＢ）が上記発光量ＱＧに対して定電流源（ＣＩ１）と可変抵抗（ＶＲ１）によって定まる発光量ＱＢになるように制御され、キセノン管（ＸＲ）が上記発光量ＱＧに対して定電流源（ＣＩ２）と可変抵抗（ＶＲ２）によって定まる発光量ＱＲになるように制御される。」
　これらの記載ならびに、関連する図面の記載を参酌すると、引用文献１には、
「前面に青色、緑色、及び、赤色のフイルタを設けた３個のキセノン管を光源とした閃光発光装置において、オートモードとマニユアルモードの切換を行う切換部材ならびにフイルムの色温度感度に対応して閃光発光を調節するための設定部材の設定に応じ、被写体位置で測光した被写体の色温度情報、もしくは、フイルムの色温度感度に対応した設定に基づいて射出すべき光量の比を算出し、その出力に基づいて各キセノン管の発光量の比を制御し、測光された被写体の色温度情報、もしくは、設定された色温度感度に対応した分光特性の光を発光させる制御手段を有する閃光発光装置。」の発明（以下、「引用発明」という。）が記載されている。
 　 
（２−２）引用文献２（特開平１１−１３３４９０号公報）
　引用文献２には、図面とともに以下の事項が記載されている。 
（２−２−ａ）【特許請求の範囲】の欄 
「…… 
【請求項３】　赤色光を発光する発光ダイオード、青色光を発光する発光ダイオード、及び緑色光を発光する発光ダイオードをフラッシュの光源に用いたことを特徴とするフラッシュ内蔵レンズ付きフィルムユニット。 
 ……」
（２−２−ｂ）段落【０００２】〜【０００４】
「【従来の技術】ストロボを内蔵したレンズ付きフィルムユニットは従来より各種市販されている。しかし、ストロボを発光させる回路は複雑であり、電池の電圧を略３５０Ｖに昇圧させる発振トランス等の昇圧回路、充電した電荷を蓄える大型のメインコンデンサ、充電したことを表示するネオン管等の表示回路、放電管にトリガー電圧を付与するトリガートランス等の各種の回路を必要とした。このために、ストロボを内蔵すると小型化は困難であり、また原価高になっていた。 
 ……
【発明が解決しようとする課題】かかる問題に鑑み、非常に簡単な回路でフラッシュ撮影が可能なフラッシュ内蔵レンズ付きフィルムユニットを提案することを本発明の課題とするものであり、この結果、小型化、原価低減に寄与するところが大であり、更にフラッシュ撮影時に待ち時間を不要としたものである。」
（２−２−ｃ）段落【００２６】 
「また、各々の発光ダイオードと直列に各々スイッチを接続し、任意のスイッチをオン・オフさせて、任意の１個、若しくは２個の発光ダイオードのみを発光させることにより、被写体を特殊な色に照明して敢えて不自然な発色となる写真表現をすることもできる。」 
（２−２−ｄ）段落【００２８】
「なお、光量を大きくするために、白色発光ダイオードを複数本用いるか、又は赤色光、青色光、及び緑色光の各々の発光ダイオードを複数本用いるようにしてもよい。特に、赤色光、青色光、及び緑色光の発光ダイオードを複数本用いる場合は、その本数を各色とも同じにする必要はなく、各発光ダイオードの発光強度に応じて所望の発光色と発光強度になるように各色の本数を変えてもよい。」 
 　 
（２−３）引用文献３（特開平８−２２０８１号公報）
　引用文献３には、図面とともに以下の事項が記載されている。
（２−３−ａ）【特許請求の範囲】の欄
「【請求項１】　写真フイルムに記録された原画像を光源により照明し、その透過光により感光材料に原画像を焼付露光する写真プリンタにおいて、赤色，緑色，青色の各ＬＥＤ素子を多数個マトリクスに配置して前記光源を構成したことを特徴とする写真プリンタ。 
 【請求項２】　請求項１記載の写真プリンタにおいて、前記各ＬＥＤ素子の発光輝度，発光時間，駆動する素子数のいずれか又はこれらを組み合わせて制御して、焼付光の光スペクトル分布，光量を変化させる手段を備えたことを特徴とする写真プリンタ。 
 ……」 
（２−３−ｂ）段落【０００２】
「【従来の技術】従来の写真プリンタの光源としては主にハロゲンランプが使用され、調光フイルタやカットフイルタと呼ばれる３色のフイルタを焼付光路へ挿入することによって、光量とその光スペクトル分布とを調整していた。……」
（２−３−ｃ）段落【０００３】
「【発明が解決しようとする課題】しかしながら、ハロゲンランプを用いた光源部では調光フイルタやカットフイルタなどを焼付光路に挿入する必要があり、これらフイルタを移動させるための移動装置が必要になっていた。……」
（２−３−ｄ）段落【００１１】
「【作用】写真フイルム、例えばネガフイルムのネガ像がＬＥＤ光源により照明される。ＬＥＤ光源は赤色，緑色，青色の各ＬＥＤ素子が多数個マトリクスに配列して構成されている。これら各ＬＥＤ素子は各色毎に又は個別に発光輝度，発光時間が制御されることで、ネガ像の焼付光の光スペクトル分布（三色光成分）及び光量が変えられる。ＬＥＤ素子により光源が構成されるため、従来のハロゲンランプのときに必要とされた大容量の電源装置が不要になり、構成が簡単になるとともに小型化が図れる。ＬＥＤ素子が個別に制御されることにより、簡単に階調再現の良好な複写画像が得られる。」
 　 
（２−４）引用文献４（特開平１０−１６１１９８号公報）
　引用文献４には、図面とともに以下の事項が記載されている。
（２−４−ａ）【特許請求の範囲】の欄
「【請求項１】スポットライトにおいて、単一色の多数の高輝度平行光ＬＥＤランプあるいは複数色の多数の高輝度平行光ＬＥＤランプをＬＥＤ基板に支持し、同基板をスポットライト本体に適数配置し、またＬＥＤランプの点灯の比率を任意に選定して点灯し得るように構成し、所望の範囲をＬＥＤランプによる平行光で照明するように構成したことを特徴とするスポットライト。」
（２−４−ｂ）段落【０００２】〜【０００３】
「【従来の技術】従来、写真撮影あるいは舞台照明等に使用するスポットライトは、内部に光源を装着するソケットを器具本体の内部に固定し、同ソケットに装着してなる光源の前部に、赤色やグリーンやグレー等の色フィルターを回転自在に配置し、使用に際して所望の色フィルターを選択して照明することが実施されている。また光源としては白熱電球やハロゲン電球が使用されている。
【発明が解決しようとする課題】しかし上記した構造のスポットライトによると、色フィルターを使用するので構造が複雑となり、……」
（２−４−ｃ）段落【０００５】
「【発明を解決するための手段】請求項１に記載のスポットライトは、スポットライト用光源として、ＬＥＤランプを使用するスポットライトに関する。また単一色の多数の高輝度平行光ＬＥＤランプあるいは複数色の多数の高輝度平行光ＬＥＤランプをＬＥＤ基板に支持し、同基板をスポットライト本体に複数配置して構成してある。また色彩の異なるＬＥＤランプの点灯の比率を任意に選定して点灯し得るように構成し、所望の範囲をＬＥＤランプによる平行光で照明するように構成し、器具の構造は簡単となり、また光源の寿命は長く、発熱量は少なく消費電力の少ない構造となる。」
（２−４−ｄ）段落【０００６】
「【発明の実施の形態】……
 …三色のＬＥＤランプの比率を１対１対１に構成し、また三色のＬＥＤランプの比率を適宜選択することにより、一台で様々な色による演出が可能となる。…」
　
３．本願発明と引用発明との対比 
　本願発明と引用発明とを対比すると、引用発明の「閃光発光装置」が本願発明の「カメラのストロボ装置」に相当することは明らかである。そうすると、引用発明の「前面に青色、緑色、及び、赤色のフイルタを設けた３個のキセノン管」と本願発明の「ストロボ光源として使用されるＲ、Ｇ、Ｂの３色の発光素子」とは、「ストロボ光源として使用されるＲ、Ｇ、Ｂの３色の光源」である点で共通する。また、引用発明の「オートモード」は「被写体位置で測光した被写体の色温度情報」に基づくものであり、「マニユアルモード」は、前記（２−１−ｃ）ならびに（２−１−ｄ）で摘記した記載内容からして、操作者が「フイルムの色温度感度に対応して設定」するものであるので、引用発明の「オートモードとマニユアルモードの切換を行う切換部材ならびにフイルムの色温度感度に対応して閃光発光を調節するための設定部材」は、本願発明の「ストロボ光の色温度をマニュアルで設定し、又は被写界の色温度を自動的に測定する手段」に相当する。 
　そして、前記相当関係ならびに共通関係を勘案すると、引用発明の「被写体位置で測光した被写体の色温度情報、もしくは、フイルムの色温度感度に対応した設定に基づいて射出すべき光量の比を算出し、その出力に基づいて各キセノン管の発光量の比を制御し、測光された被写体の色温度情報、もしくは、設定された色温度感度に対応した分光特性の光を発光させる制御手段」と、本願発明の「ストロボ光が前記マニュアルで設定した色温度、又は自動的に測定した被写界の色温度になるようにＲ、Ｇ、Ｂの３色の光源の発光量の比に対応させて３色の各発光素子の点灯する個数の数量比を制御する手段であって、各発光素子単位で点灯及び消灯を制御することにより、Ｒ、Ｇ、Ｂの各色ごとに点灯する発光素子の個数を制御する手段」とは、「ストロボ光が前記マニュアルで設定した色温度、又は自動的に測定した被写界の色温度になるようにＲ、Ｇ、Ｂの３色の光源の発光量の比に対応させて、３色の各光源の発光を制御する手段」である点で共通する。
　そうすると、両者は、
「ストロボ光源として使用されるＲ、Ｇ、Ｂの３色の光源であって、
ストロボ光の色温度をマニュアルで設定し、又は被写界の色温度を自動的に測定する手段と、
　ストロボ光が前記マニュアルで設定した色温度、又は自動的に測定した被写界の色温度になるようにＲ、Ｇ、Ｂの３色の光源の発光量の比に対応させて、３色の各光源の発光を制御する手段と、
　を備えたことを特徴とするカメラのストロボ装置。」の点で一致し、以下の点で相違する。
（相違点１）
　「Ｒ、Ｇ、Ｂの３色の光源」が、本願発明は「３色の発光素子であって、各色ごとに複数個設けられ、かつ各発光素子単位で点灯及び消灯が可能な発光素子」であるのに対し、引用発明は、前面に青色、緑色、及び、赤色のフイルタを設けた３個のキセノン管である点。
（相違点２）
　発光量の比に対応させて、３色の各光源の発光を制御する手段が、本願発明は「３色の各発光素子の点灯する個数の数量比を制御する手段であって、各発光素子単位で点灯及び消灯を制御することにより、Ｒ、Ｇ、Ｂの各色ごとに点灯する発光素子の個数を制御する」のに対し、引用発明は各キセノン管の発光量の比を制御する点。
　
４．相違点の検討・判断
（４−１）相違点１について
　引用文献２には、カメラのストロボ装置に用いる光源を、放電管等の発光管に代えて３色の発光ダイオードとすること（前記摘記（２−２−ａ）、（２−２−ｂ）参照）、光量を大きくするために発光ダイオードを各色ごとに複数個設けること（前記摘記（２−２−ｄ）参照）、が記載され、さらに、各色の発光ダイオードの点灯、消灯を選択することにより、被写体を特殊な色に照明し得ること（前記摘記（２−２−ｃ）参照）も記載されている。
　そして、引用文献３，４に記載されている（前記の引用文献３，４に関する摘記参照）ように、対象物に所望のスペクトルの光を放射する装置において、光源にフィルタを用いる態様に代えて３色の発光ダイオードを各色ごとに複数個設け、その発光ダイオードを個々に点灯及び消灯可能として所望の発光スペクトルを得ることは、本願出願前公知の技術的事項であって、当該技術的事項をカメラのストロボ装置に適用して所望の色温度を得ようとする程度のことは、当業者が容易に想到し得る事項である。
　してみると、引用発明の「前面に青色、緑色、及び、赤色のフイルタを設けた３個のキセノン管」に代えて、「３色の発光素子であって、各色ごとに複数個設けられ、かつ各発光素子単位で点灯及び消灯が可能な発光素子」を採用する点に格別の困難性を見出すことはできない。 
（４−２）相違点２について 
　３色の発光ダイオードの点灯個数の比を制御して所望の発光スペクトルを得ることは引用文献４に記載されている（前記摘記（２−４−ｄ）参照）。また、引用文献３においては、個々の発光ダイオードごとに、輝度の制御に加えて発光時間の制御を行うことも記載されている（前記摘記（２−３−ｄ）参照）ことからして、点灯個数の制御を行うことによっても、所望のスペクトルが得られるであろうことは当業者が容易に想到し得る事項にすぎない。 
　してみると、発光量の比に対応した３色の各光源の発光を、「３色の各発光素子の点灯する個数の数量比を制御する手段であって、各発光素子単位で点灯及び消灯を制御することにより、Ｒ、Ｇ、Ｂの各色ごとに点灯する発光素子の個数を制御する」ことによって得る点にも格別の進歩性は見いだせない。
　そして、本願発明が具備する構成によってもたらされる作用効果は、引用発明ならびに引用文献２ないし引用文献４に記載された技術的事項から当業者が予測できる域をでるものでもない。 
　以上のとおりであるので、本願発明は、引用発明ならびに引用文献２ないし引用文献４に記載された技術的事項から当業者が容易に発明することができたものである。
　
　なお、請求人は、平成２０年１０月３１日付け意見書で、引用文献３、４に記載されている光源は本願発明の「カメラのストロボ光源」とは異なるので、引用文献１、２に記載されているカメラのストロボ光源に、引用文献３、４に記載されている技術的事項を適用することに動機付けがない、あるいは、格別な技術的障害がある旨、主張する。
　しかしながら、上記（４−１）で述べたとおり、引用文献１、２と引用文献３、４とは、対象物に所望のスペクトルの光を放射する装置である点で軌を一にするものであり、引用文献１、２に引用文献３、４に記載されている技術的事項を適用することに、請求人の主張するような動機付けの欠如や格別の技術的障害を見いだすことはできない。
　
５．むすび
　以上のとおり、本願の請求項１係る発明は、本願出願前に頒布された刊行物である上記引用文献１ないし４に記載された発明に基づいて当業者が容易に発明することができたものであるので、特許法第２９条第２項の規定により特許を受けることができないものである。
　したがって、その余の請求項に係る発明について論及するまでもなく、本願は拒絶すべきものである。
　
　よって、結論のとおり審決する。